(57)【要約】【課題】スキャナ部の原稿送り速度と裁断部の裁断速度の差に起因する紙詰まりや読取り画像劣化の問題を、装置の大型化を抑制しつつ解消したシート状記録媒体破砕装置を提供する。【解決手段】挿入されたシート状記録媒体Ｐを搬送する第１の搬送経路（第一搬送部１０５）と、前記第１の搬送経路途中に設けられ、搬送中の前記シート状記録媒体Ｐの種別あるいは記録内容を検出する検出手段（ラインセンサ１１９、１２１）と、前記第１の搬送経路の終端に配置された一時保管部１０６と、前記一時保管部１０６内の前記シート状記録媒体Ｐを前記第一の搬送経路の下方に位置し前記第一の搬送経路による搬送方向と反転した方向へ搬送する第二の搬送経路（第二搬送部１０７）と、前記シート状記録媒体Ｐを破砕する破砕手段（裁断ローラ１２３）と、を備えた。【選択図】図１
2009182856.tif 000002
【特許請求の範囲】
【請求項１】
投入口から挿入されたシート状記録媒体を搬送する第１の搬送経路と、前記第１の搬送経路途中に設けられ、搬送中の前記シート状記録媒体の種別あるいは記録内容を検出する検出手段と、前記第１の搬送経路の下流側に配置された一時保管部と、前記第一の搬送経路の下方に位置し前記一時保管部内の前記シート状記録媒体を前記第一の搬送経路による搬送方向と反転した方向へ搬送する第二の搬送経路と、前記第二の搬送経路から搬送されてきた前記シート状記録媒体を破砕する破砕手段と、を備えることを特徴とするシート状記録媒体破砕装置。
【請求項２】
前記第一の搬送経路は両端部よりも中間部が下方に位置する構成を有し、前記一時保管部は前記第一の搬送経路出口近傍から斜め上向きに配置され、前記第二の搬送経路は前記一時保管部の下部を斜め下向きに延長形成され、前記第一の搬送経路と前記一時保管部と前記第二の搬送経路とで形成される経路が略ｙ字形状をなすことを特徴とする請求項１に記載のシート状記録媒体破砕装置。
【請求項３】
前記第二の搬送経路の入口が、前記第一の搬送経路の出口と同等の高さか、或いは低い位置に設けられていることを特徴とする請求項１又は２に記載のシート状記録媒体破砕装置。
【請求項４】
前記投入口から前記検出手段までの搬送距離が、前記シート状記録媒体の搬送方向長よりも長いことを特徴とする請求項１乃至３の何れか一項に記載のシート状記録媒体破砕装置。
【請求項５】
前記第一の搬送経路から前記破砕手段に至るまでの経路を覆う遮蔽カバーを備えたことを特徴とする請求項１乃至４の何れか一項に記載のシート状記録媒体破砕装置。
【発明の詳細な説明】
【技術分野】
【０００１】
本発明は、画像読取装置とシュレッダ装置と記憶装置を内蔵したシート状記録媒体破砕装置に関する。
【背景技術】
【０００２】
近年、ＯＡ化が進み、従来保管されてきた紙文書は、保管スペースの削減、情報共有、検索の容易化等を目的として電子化されるようになってきた。これら紙文書は、スキャナによって読取られ電子化された後に処分される。しかし、紙文書の中でも機密書類は、機密を保持したまま処分する必要があるので、別途シュレッダによる裁断廃棄や溶解処理が行われる。
特許文献１、２には、スキャナによって記載内容を読取り電子化した後の原稿を自動で裁断廃棄するようにした装置が記載されている。又、特許文献３乃至５には、誤って裁断廃棄した紙文書の内容を後から参照可能にした装置が記載されている。
特許文献１の図１に記載されたシュレッダ装置では、給紙ローラ対１７とカッタロータ２３との間に表面用ＣＣＤラインセンサ１９、裏面用ＣＣＤラインセンサ２１を設け、給紙台１３から重ねて投入された紙葉類Ｐを一枚ずつ分離搬送する送り出しローラ１５を設けている。
搬送された紙葉類ＰはＣＣＤラインセンサ１９、２１によって画像を読取られた後に、カッタロータ２３にて裁断される。
読取られた画像あるいは読取画像から検出された識別コードが、装置に内蔵されたハードディスクドライブに保存されたり、通信手段によって電送されたりして処理が終了する。
このように、特許文献１乃至５に記載された何れの装置も、基本的にはシート送り型のスキャナとシュレッダとを一体に組み合わせた構成である。
【特許文献１】特開平５−８３４９９号公報
【特許文献２】特開２００２−１５８８１５公報
【特許文献３】特開平６−２３８１８５号公報
【特許文献４】特開平１０−２４９２２８号公報
【特許文献５】特開２００３−６２４７６公報
【発明の開示】
【発明が解決しようとする課題】
【０００３】
特許文献１の図１に記載されたシュレッダ装置のようにＣＣＤラインセンサ１９、２１とカッタロータ２３とが近接配置されていると、紙葉類Ｐの裁断開始時点において、紙葉類Ｐの後半部はまだＣＣＤラインセンサ１９、２１によって読取り最中にある。この時、紙葉類Ｐが裁断し難いと、カッタロータ２３による引き込み速度が送り出しローラ１５、給紙ローラ対１７の送り速度よりも遅くなり、カッタロータ２３とＣＣＤラインセンサ１９、２１との間で紙葉類Ｐが湾曲してしまい紙詰まりを引き起こしてしまう。
逆に、紙葉類Ｐが裁断し易いとカッタロータ２３による引き込み速度が送り出しローラ１５、給紙ローラ対１７の送り速度よりも早くなり、所定の送り速度よりも早い速度で紙葉類Ｐの後半部がＣＣＤラインセンサ１９、２１を通過してしまい、取得画像に歪が生じてしまう。
このような問題は、ＣＣＤラインセンサ１９、２１とカッタロータ２３との間隔を広く設定し、紙葉類ＰがＣＣＤラインセンサ１９、２１を通過し、更に画像読取り用の搬送機構から開放された後にカッタロータ２３へ搬送されるように、画像読取り用の搬送機構とカッタロータ２３への搬送機構との間にバッファ区間を設ければ解消される。
しかし、特許文献１の図８に記載されたシュレッダ装置に示すように、画像読取り用の搬送機構とバッファ区間とカッタロータ２３への搬送機構とを順に直列させると、装置が大型するという不具合が生じる。
本発明はスキャナを内蔵したシュレッダにおいて、スキャナ部の原稿送り速度と裁断部の裁断速度の差に起因する紙詰まりや読取り画像劣化の問題を、装置の大型化を抑制しつつ解消することを目的にしている。
【課題を解決するための手段】
【０００４】
上記の課題を解決するために、請求項１に記載の発明は、投入口から挿入されたシート状記録媒体を搬送する第１の搬送経路と、前記第１の搬送経路途中に設けられ、搬送中の前記シート状記録媒体の種別あるいは記録内容を検出する検出手段と、前記第１の搬送経路の下流側に配置された一時保管部と、前記第一の搬送経路の下方に位置し前記一時保管部内の前記シート状記録媒体を前記第一の搬送経路による搬送方向と反転した方向へ搬送する第二の搬送経路と、前記第二の搬送経路から搬送されてきた前記シート状記録媒体を破砕する破砕手段と、を備えるシート状記録媒体破砕装置を特徴とする。
また、請求項２に記載の発明は、前記第一の搬送経路は両端部よりも中間部が下方に位置する構成を有し、前記一時保管部は前記第一の搬送経路出口近傍から斜め上向きに配置され、前記第二の搬送経路は前記一時保管部の下部を斜め下向きに延長形成され、前記第一の搬送経路と前記一時保管部と前記第二の搬送経路とで形成される経路が略ｙ字形状をなす請求項１に記載のシート状記録媒体破砕装置を特徴とする。
また、請求項３に記載の発明は、前記第二の搬送経路の入口が、前記第一の搬送経路の出口と同等の高さか、或いは低い位置に設けられている請求項１又は２に記載のシート状記録媒体破砕装置を特徴とする。
また、請求項４に記載の発明は、前記投入口の終端から前記検出手段までの搬送距離が、前記シート状記録媒体の搬送方向長よりも長い請求項１乃至３の何れか一項に記載のシート状記録媒体破砕装置を特徴とする。
また、請求項５に記載の発明は、前記第一の搬送経路から前記破砕手段に至るまでの経路を覆う遮蔽カバーを備えた請求項１乃至４の何れか一項に記載のシート状記録媒体破砕装置を特徴とする。
【発明の効果】
【０００５】
本発明によれば、シート状記録媒体が、検出手段による画像読取用に設けられた搬送経路と、裁断用に設けられた搬送経路の双方に同時に搬送されることがないため、画像読取部の原稿送り速度と裁断部の裁断速度の差に起因する紙詰まりや読取り画像劣化が発生しない。また、画像読取用に設けられた搬送経路と裁断用に設けられた搬送経路とで搬送方向を反転するようにしたので、小型のシート状記録媒体破砕装置を提供することが可能となる。
【発明を実施するための最良の形態】
【０００６】
以下、本発明の実施形態を詳細に説明する。
本発明、第一の実施形態を図１乃至図６に基づいて説明する。図１〜図６は、本実施形態におけるシート状記録媒体破砕装置の概略構成図である。
第一の実施形態におけるシート状記録媒体破砕装置の上部には、束になったシート状記録媒体Ｐを装置内部に受け入れる投入口１０２を備える。投入口１０２よりもシート状記録媒体Ｐの搬送方向下流で、シート状記録媒体破砕装置内部には、束になったシート状記録媒体Ｐを一枚ずつ分離搬送するシートフィーダ機構としての給紙ローラ１１５と押圧ばね１０８を備える。給紙ローラ１１５と押圧ばね１０８よりも搬送方向下流には、一枚ずつ分離搬送されたシート状記録媒体Ｐを受け入れて斜め下方向への搬送から斜め上方向への搬送へと搬送方向を変更するＵ字形状の第一搬送部１０５（第一の搬送経路）を備える。第一搬送部１０５の中間で、第一搬送部１０５が略水平となる位置には、シート状記録媒体Ｐの両面の画像データを一度に読み取り可能なように搬送経路を挟むようにして、一対のラインセンサ１１９（検出手段）とラインセンサ１２１（検出手段）を備える。また、第一搬送部１０５の終端（出口）にはシート状記録媒体Ｐを第一搬送部１０５から排出する排出ローラ１１７を備える。
【０００７】
排出ローラ１１７より先方、即ち搬送方向下流には、排出ローラ１１７から斜め上方向に排出されるシート状記録媒体Ｐを受け入れる上向きに傾斜した一時保管部１０６を備える。一時保管部１０６は、シート状記録媒体Ｐに対して、ラインセンサ１１９とラインセンサ１２１による画像の読取り最中に、後述する裁断ローラ１２３での裁断が行われないようにするために、一時的にシート状記録媒体Ｐを保管する部分である。排出ローラ１１７から斜め上方向に排出されたシート状記録媒体Ｐは一時保管部１０６上に着座し、その後端Ｐｂが排出ローラ１１７を通過した後、搬送方向を逆転され、後端Ｐｂから斜め下方向に裁断ローラ１２３に向けて搬送される。
【０００８】
一時保管部１０６の下方には、シート状記録媒体Ｐの搬送速度を調整する補助ローラ１０９と、シート状記録媒体Ｐを一時保管部１０６から裁断ローラ１２３へと案内する第二搬送部１０７（第二の搬送経路）と、シート状記録媒体Ｐを裁断する一対の裁断ローラ１２３とが順次配置されている。また、補助ローラ１０９と裁断ローラ１２３は、伝達ベルト１１０で接続されており、両ローラは等速で回転するようになっている。
裁断ローラ１２３の下方には、裁断屑Ｄを受ける屑入れ１２５が備えられ、屑入れ１２５は屑入れ収納部１０４に収納されている。
シート状記録媒体Ｐの搬送経路において、給紙ローラ１１５と押圧ばね１０８から第二搬送部１０７までは遮蔽カバー１０３で覆われ、処理中のシート状記録媒体Ｐに第三者が触れることによる不正行為を防止している。また、裁断ローラ１２３の下方に位置する遮蔽カバー１０３の下部には裁断屑Ｄを屑入れ１２５に落下排出する排出口１１１が備えられている。
【０００９】
以上のように構成されたシート状記録媒体破砕装置の動作について説明する。
投入口１０２に複数枚重ねて挿入されたシート状記録媒体Ｐは、押圧ばね１０８と給紙ローラ１１５の相互作用により１枚ずつ分離搬送される（図１）。
搬送中のシート状記録媒体ＰはＵ字形状に形成された第一搬送部１０５に沿って進み、シート状記録媒体Ｐの先端Ｐａがラインセンサ１１９、ラインセンサ１２１へ達すると、画像の読取りが開始される。更に進むと先端Ｐａが排出ローラ１１７へ達し、シート状記録媒体Ｐは給紙ローラ１１５と排出ローラ１１７の両方によって同時に搬送される。シート状記録媒体Ｐの後端Ｐｂが給紙ローラ１１５から離脱すると排出ローラ１１７だけによって搬送されるようになる（図２）。
後端Ｐｂがラインセンサ１１９、ラインセンサ１２１を通過すると画像の読取りが終了される。更に搬送されて、後端Ｐｂが排出ローラ１１７に達すると、シート状記録媒体Ｐは排出ローラ１１７から分離して一時保管部１０６へ排出される（図３、図４）。
一時保管部１０６へ排出されたシート状記録媒体Ｐは、自重と補助ローラ１０９の搬送力により第二搬送部１０７に沿って斜め下方へ落下し、裁断ローラ１２３へ到達する（図５）。裁断ローラ１２３はシート状記録媒体Ｐを引き込みながら裁断し、裁断屑Ｄは屑入れへ落下する（図６）。
なお、先に搬送を開始されたシート状記録媒体Ｐの後端Ｐｂが給紙ローラ１１５を通過した直後に、次のシート状記録媒体Ｐが給紙ローラ１１５に引き込まれ、投入口１０２に重ねて挿入されたシート状記録媒体Ｐがなくなるまで画像の読取、シートの排出、裁断が連続的に繰り返される。
【００１０】
本実施形態では、第一搬送部１０５の形状はＵ字状であるとして説明したが、斜め下方向に搬送されるシート状記録媒体Ｐを上方搬送に変更できればよく、Ｕ字に限らず、例えばＶ字形状であっても良い。要するに、第一搬送部１０５の両端部よりも中間部が下方に位置する形状であればよい。また、一時保管部１０６、補助ローラ１０９、第二搬送部１０７、裁断ローラ１２３がシート状記録媒体Ｐを引き込む部分の一連の部材が略直線状に配置されているが、一時保管部１０６から裁断ローラ１２３にかけて、シート状記録媒体Ｐが紙詰まりを起こすことなく搬送される配置であれば直線形状に限られない。
このように本実施形態によれば、単一のシート状記録媒体Ｐが、画像読取用に設けられた第一搬送部１０５と、裁断用に設けられた第二搬送部１０７との双方に跨って同時に搬送されることがないため、両者の搬送速度に差が生じても紙詰まりや読取り画像劣化などの不具合が生じない。
また、第一搬送部１０５を通過してきたシート状記録媒体Ｐが一時保管部１０６にて搬送方向を反転され、第二搬送部１０７を通過するので、経路全体がコンパクトに収まり、装置の大型化を抑制することが可能である。
【００１１】
次に、本発明の第二の実施形態について図７に基づいて説明する。第一の実施形態と同一の部分には同一の符号を付し、その説明を省略する。
本実施形態では、一対のラインセンサ１１９ａ、ラインセンサ１２１ａの設置位置を排出ローラ１１７の直前、即ち第一搬送部１０５の後端に設定した構成と、一次保管部の上部を湾曲させ、略「つ」の字形状とした一時保管部１０６ａの構成が特徴的である。
いわゆるスキャナ付シュレッダは、シート状記録媒体Ｐが廃棄されたことを証明する目的でも用いられる。例えば、廃棄したことを遠隔集中管理する特開２００５−１７３８１１や特開２００５−１９０３６５がこれに該当する。この用途では、シート状記録媒体破砕装置内部にシート状記録媒体Ｐが完全に取り込まれないうちに画像の読取りや裁断等の処理が開始されると、シート状記録媒体Ｐを装置本体から取り出される可能性があり、不正行為の原因となる。
【００１２】
例えば、シート状記録媒体Ｐの先端部分に記載された識別コードによってシート状記録媒体Ｐを管理する文書管理システムにあっては、識別コードがスキャナ付シュレッダに画像情報として読み取られた時点で、その識別コードが記載されたシート状記録媒体Ｐに関して廃棄処理済の証明が発行されてしまう場合がある。このようなシステムの下で、シート状記録媒体Ｐの先端Ｐａの読み取りが開始された時点で後端Ｐｂが装置外部に露出するシート状記録媒体破砕装置を使用すると、識別コードを読取らせた後にシート状記録媒体Ｐをシート状記録媒体破砕装置から引き抜くことが可能になり、シート状記録媒体Ｐが裁断処理されていないにもかかわらず処理済の証明が発行されてしまう。廃棄処理済の証明が発行されたはずのシート状記録媒体Ｐが、実際には廃棄されておらず、機密情報の持ち出しといった不正行為が可能となってしまう。
図７に係る実施形態では、シート状記録媒体Ｐが装置の内部に引き込まれてから読取りを開始するようにして、この不正行為を防止できるシート状記録媒体破砕装置を提供する。
即ち、図７は、本発明第二の実施形態に係るシート状記録媒体破砕装置の概略構成図である。
本実施形態に係る一対のラインセンサ１１９ａとラインセンサ１２１ａは、Ｕ字状の第一搬送部１０５の後端に備えられている点が特徴的である。
【００１３】
本実施形態におけるシート状記録媒体破砕装置の動作について説明する。投入口１０２に複数枚重ねて挿入されたシート状記録媒体Ｐは、押圧ばね１０８と給紙ローラ１１５の相互作用により１枚ずつ分離搬送される（図１）。搬送中のシート状記録媒体ＰはＵ字形状に形成された第一搬送部１０５に沿って進み、シート状記録媒体Ｐの後端Ｐｂが投入口１０２よりもシート状記録媒体破砕装置の内部に到達すると、先端Ｐａがラインセンサ１１９ａ、ラインセンサ１２１ａへ到達し、画像の読取りが開始される（図７）。このとき、シート状記録媒体Ｐは、給紙ローラ１１５によって搬送される。シート状記録媒体Ｐの読み取りが終了し、後端Ｐｂが排出ローラ１１７に達すると、シート状記録媒体Ｐは排出ローラ１１７から分離して一時保管部１０６ａへ排出される。
【００１４】
なお、一時保管部１０６ａの上端部を湾曲させた略「つ」の字形状としたので、排出ローラ１１７から排出されるシート状記録媒体Ｐは、一時保管部１０６ａに沿って「つ」の字形状になりながら進み、遮蔽カバー１０３に衝突して折れ曲がってシワになることがない。従って、シート状記録媒体破砕装置内部で紙詰まりが生ずることがない。また、一時保管部１０６ａを湾曲形状にしたので、実施形態１における一時保管部１０６よりも省スペースな一時保管部とすることができ、さらに小型のシート状記録媒体破砕装置を提供することが可能となる。
このように本実施形態によれば、シート状記録媒体Ｐが装置の内部に引き込まれてから読取りを開始できるように、ラインセンサ１１９、ラインセンサ１２１の位置を装置内部の奥方向にオフセットしたので、シート状記録媒体Ｐが裁断処理されていないにもかかわらず処理済の証明が発行されてしまうという問題および、機密情報の持ち出しといった不正行為を防止することができる。
また、一時保管部１０６ａを湾曲させたので、一時保管部に必要なスペースに起因する装置の大型化を抑制することができる。
【図面の簡単な説明】
【００１５】
【図１】第一の実施形態に係るシート状記録媒体破砕装置の概略構成図である。
【図２】第一の実施形態に係るシート状記録媒体破砕装置の概略構成図である。
【図３】第一の実施形態に係るシート状記録媒体破砕装置の概略構成図である。
【図４】第一の実施形態に係るシート状記録媒体破砕装置の概略構成図である。
【図５】第一の実施形態に係るシート状記録媒体破砕装置の概略構成図である。
【図６】第一の実施形態に係るシート状記録媒体破砕装置の概略構成図である。
【図７】第二の実施形態に係るシート状記録媒体破砕装置の概略構成図である。
【符号の説明】
【００１６】
１０２…投入口、１０３…遮蔽カバー、１０４…屑入れ収納部、１０５…第一搬送部、１０６、１０６ａ…一時保管部、１０７…第二搬送部、１０８…押圧ばね、１０９…補助ローラ、１１０…伝達ベルト、１１１…排出口、１１５…給紙ローラ、１１７…排出ローラ、１１９、１１９ａ…ラインセンサ、１２１、１２１ａ…ラインセンサ、１２３…裁断ローラ、１２５…屑入れ
【図１】
2009182856.tif 000003
【図２】
2009182856.tif 000004
【図３】
2009182856.tif 000005
【図４】
2009182856.tif 000006
【図５】
2009182856.tif 000007
【図６】
2009182856.tif 000008
【図７】
2009182856.tif 000009